(57)【要約】【課題】簡単な構成や検知センサーの取り付けが簡単であり、判定も容易で正しく判定できるうつ伏せを検出する装置を提供する。  【解決手段】薄膜容器に容量の約半分程度の導電性液体を封入し、導電性液体の傾斜度合に従って電波を発信したり停止したりする複数の高周波送信部を薄膜容器に取り付け、乳幼児または身体障害者の額または胸部表面に貼り付ける。    複数の高周波送信部の発信する電波を受信部で受信して、受信状況に応じて被監視者がうつ伏せ状態か否かを判定し、うつ伏せ状態が予め設定した時間以上経過した時に受信部は警報を出力する。  【選択図】図１
2007195837.tif 000002
【特許請求の範囲】
【請求項１】
導電性液体が薄膜容器容量の約半分の量で容器内に封入された前記薄膜容器と、前記薄膜容器の平面片側で容器の外側に取り付けられた無線の高周波を発信する複数の高周波送信部と、前記高周波送信部から発信された電波を受信する受信部と、  で構成され、
前記薄膜容器を乳幼児または身体障害者の頭部の額部や胸部表面に貼り付け、前記高周波送信部にはそれぞれ２つのリード端子が前記薄膜容器内部へ導入され前記高周波送信部が取り付けられた側の前記薄膜容器の平面内側に前記リード端子の片側が開放された状態で貼り付けられ、前記導電性液体が前記高周波送信部において自己の２つの前記リード端子と同時に接触すると、接触に該当する前記高周波送信部が周期的に予め設定された周波数の電波を発信し、複数の前記高周波送信部の電波発信状態に拠って前記受信部でうつ伏せ状態を判定し、うつ伏せ状態と判定した場合に外部へまたは前記受信部で自ら警報を発することを特徴とする  うつ伏せ検出装置。
【請求項２】
前記薄膜容器を乳幼児または身体障害者の頭部の額部や胸部表面に前記高周波送信部が取り付けられている側を下にして貼り付けた場合、前記薄膜容器の平面片側に取り付けられた複数の前記高周波送信部の電波発信が全て停止した後予め設定された時間が経過したときにうつ伏せ状態が継続していると判定して前記受信部の外部へまたは前記受信部自ら警報を出力する請求項１記載のうつ伏せ検出装置。
【請求項３】
前記薄膜容器を乳幼児または身体障害者の頭部の額部や胸部表面に前記高周波送信部が取り付けられている側を上にして貼り付けた場合、前記薄膜容器の平面片側に取り付けられた複数の前記高周波送信部の電波発信が全て発信した後予め設定された時間が経過したときにうつ伏せ状態が継続していると判定して前記受信部の外部へまたは前記受信部自ら警報を出力する請求項１記載のうつ伏せ検出装置。
【発明の詳細な説明】
【技術分野】
【０００１】
本発明は、乳幼児や身体障害者のうつ伏せを検出して窒息による事故を防止するうつ伏せの検出装置に関する。
【背景技術】
【０００２】
乳幼児や身体障害者が誤ってうつぶせ状態となり、自分の力で寝返りすることが出来ない場合、寝具などで口や鼻腔を塞がれて窒息の事故を起こすことがある。  わずかな時間でも重大な事故になる恐れがあるが、大きな病院や施設では看護師が多くの入院者を絶えず監視し続けることは容易ではない。
【０００３】
上記のような課題に対して、マットや枕の工夫や監視カメラによる監視、うつ伏せを検知するセンサーの提案が複数提出されている。    （特許文献１および特許文献２を参照）
【特許文献１】特許公開２００４−２１２０５３
【特許文献２】特許公開２００５−３１２９０１
【発明の開示】
【発明が解決しようとする課題】
【０００４】
特許文献１は、共振タグ（ＩＣタグや電子タグまたはＲＦＩＤ（Ｒａｄｉｏ  Ｆｒｅｑｕｅｎｃｙ  ＩＤｅｎｔｉｆｉｃａｔｉｏｎ）  などとも呼ばれる）を寝ている人間の各部位に取り付け、ベッドの各所にある共振タグの受信機で受信される受信位置と電波の強度で人間の姿勢を判定する提案である。  
【０００５】
この提案を乳幼児のうつ伏せ検出に利用した場合、乳幼児の頭が小さいので仰向けに寝ている状態とうつ伏せ状態の距離の差が小さいため、共振タグ受信機の感度調整が難しくうつ伏せの検出は容易ではない。  また、頭部の移動を考慮すると、共振タグ受信機を縦横の平面状に複数配置する必要があり、複数の共振タグ受信機に拠って総合的にうつ伏せを判断しなければならないため装置が複雑で高価であるという課題がある。
【０００６】
特許文献２は、うつ伏せを検知するセンサーに荷重センサーと加速度センサーを衣服に取り付け、センサーが検知すると電波を発信して受信部へ送信し、受信部でうつ伏せを判定して警報を発する提案である。  
【０００７】
この提案は、検知するセンサーに加速度センサーが用いられているが、乳幼児の呼吸や脈拍の動きの変化も考慮しなければならないため、うつ伏せの判定が複雑であり、高価である。  
また、荷重センサーが用いられているが、腕などで体重が支えられて荷重センサーが必ずしも荷重されない場合が起こり、正しく検知されないことがある。
【０００８】
本発明は、上記のように複雑で高価であったり正しく検知されない難点を解決するために提供するものである。
【課題を解決するための手段】
【０００９】
薄膜容器に容量の約半分程度の導電性液体を封入し、導電性液体の傾斜度合に従って電波を発信したり停止したりする複数の高周波送信部を薄膜容器に取り付け、乳幼児または身体障害者（被監視者とも呼ぶ）の額または胸部表面に貼り付ける。    複数の高周波送信部の発信する電波を受信部で受信して、受信状況に応じて被監視者がうつ伏せ状態か否かを判定し、うつ伏せ状態が予め設定した時間以上経過した時に受信部は警報を出力する。
【００１０】
高周波送信部を薄膜容器の片側平面に取り付け、リード端子２本を薄膜容器内部の高周波送信部の取り付け面側で開放した形状で貼り付ける。  リード端子が２本とも導電性液体に浸される状態の時は、リード端子間が導通状態となり高周波送信部が電波を発信できる手段を設ける。  リード端子のどちらか一方または両方が導電性液体に浸されていない状態の時は、高周波送信部が電波を発信できない手段を設ける。
【００１１】
薄膜容器を高周波送信部が下方向になる状態で被監視者の額または胸部表面に貼り付けた場合、被監視者がうつ伏せ状態になると、複数の高周波送信部は全て電波を発信することが出来なくなり、受信部は全ての電波発信が停止してから予め設定した時間以上経過した時に警報を出力する手段を設ける。        薄膜容器を高周波送信部が上方向になる状態で被監視者の額または胸部表面に貼り付けた場合は、うつ伏せ状態では複数の高周波送信部は全て電波を発信することになるため、受信部は全ての電波を受信し始めてから予め設定した時間以上経過した時に警報を出力する手段を設ける。
【発明の効果】
【００１２】
本発明は、簡単な構成や検知センサーの取り付けが簡単であり、うつ伏せの判定も容易で正しく判定できるので、常時監視していなくても窒息事故を未然に防ぐことができる。
【発明を実施するための最良の形態】
【００１３】
本発明の一実施形態を図面に基づいて説明する。
図１は、うつ伏せ検出装置の受信部と薄膜容器に取り付けた高周波送信部の構成を示す。
薄膜容器（３）には、容量の約半分程度の量で導電性液体（４）が封入されて、薄膜容器（３）の傾斜の状態によって導電性液体（４）が内部で動くようになっている。
【００１４】
図１では、高周波送信部（１および２）が薄膜容器（３）の下側に取り付けられた状態で被監視者の額または胸部表面に貼り付けられていることを示す。  この状態では、高周波送信部（１）と高周波送信部（２）のそれぞれのリード端子（５）は、導電性液体（４）に浸されているためリード端子間は電気的に導通状態になっている。
【００１５】
２本のリード端子（５）が導通状態であると高周波送信部は電波（Ｆ１およびＦ２）を発信できる構造に設計する。  例えば、リード端子（５）間の導通を、高周波送信部を動作させる電源電池のスイッチとして設計する。    または、リード端子（５）間の導通を、高周波を発振する共振回路のスイッチとして設計するなどである。    電波（Ｆ１およびＦ２）の発信は、消費電力を少なくするために間欠発信とする。
【００１６】
受信部（６）は、高周波送信部（１および２）の電波を受信し、電波の発信状態に拠ってうつ伏せ状態か否かを判定する。  アンテナ（７）で受けた電波を高周波受信部（８）で検波・復調してうつ伏せ判定部（９）へ伝える。  うつ伏せ判定部（９）でうつ伏せ状態と判定すると、ナースコール出力部（１０）から警報表示と警報音の発報およびナースコール親機など警報を知らせる外部装置へ警報を出力する。
【００１７】
図２は、薄膜容器（３）を取り付けた被監視者が  仰向けからやや斜め向きになった状態を示す。
この状態では、高周波送信部（１）のリード端子（５）間は導電性液体（４）に浸されているため高周波送信部（１）は電波（Ｆ１）を発信しているが、高周波送信部（２）のリード端子（５）間は浸されていないため高周波送信部（２）は電波（Ｆ２）を発信していない。
【００１８】
図３は、被監視者がうつ伏せの状態であり、高周波送信部（１）および高周波送信部（２）はリード端子（５）が導電性液体（４）に浸っていないため、共に電波（Ｆ１）  、（Ｆ２）を発信することが出来ない。    図示では電波が発信されていないことを×印で示してある。
【００１９】
図４は、うつ伏せ判定部（９）に入力される電波の出力（Ｆ１は１１  、  Ｆ２は１２）とナースコール呼び出し出力（１３）を横軸に時間をとって示したタイムチャートである。
Ｔ１（１４）の期間は、Ｆ１とＦ２の電波はともに間欠発信されている期間である。
Ｔ２（１５）の期間は、Ｆ１の電波発信が停止しているがＦ２は発信されている期間である。
Ｔ３（１６）の期間は、Ｆ１とＦ２ともに電波発信が停止している期間で、この経過時間が予め設定した時間を経過すると、警報の表示と警報音の発報とナースコール呼び出しが出力される。
設定された時間になる前にＦ１またはＦ２のどちらかまたは両方が電波を発信すれば警報を監視するタイマーはリセットされて新たに経過を監視する。
【００２０】
図５は、うつ伏せ判定部（９）の判定動作をフロー図で示したものである。
監視タイマーＴ３を起動してうつ伏せの監視状態が始まる。  （ステップＳ２）  
電波Ｆ１またはＦ２の出力がある場合（ステップ３、ステップ４）は、監視タイマーＴ３をリセット（ステップ６）して監視を継続する。
【００２１】
Ｆ１とＦ２の出力が無くなり、監視タイマーＴ３が予め設定した時間（Ｔｕｐ）以上になると（ステップＳ５）ナースコール呼び出し出力、警報表示の点灯・点滅、警報音の発報、監視タイマーＴ３の動作停止が行われる。  （ステップＳ７）  
警報を復旧する復旧ボタンが押されるまで（ステップＳ８）警報状態を保ち、復旧ボタンが押されると警報を解除して（ステップＳ９）再度監視状態に戻る。
【００２２】
図１では、２台の高周波送信部を示したが、３台以上でも原理的には同様である。  また、高周波送信部が薄膜容器の下側に位置するときを仰向けの状態で図示したが、上側を仰向け状態にしても電波の発信条件は変わるが同じように監視できることは言うまでもない。
【００２３】
薄膜容器はできるだけ薄いことが望ましい。  被監視者の皮膚を傷つけたり、うつ伏せになった時に違和感を与えないためである。  電池はフィルム状の電池を用い、交換が容易であることが望ましい。  高周波送信部は超小型に製作し、被監視者や医療機器に悪影響を与えない微弱電波であることが必要である。
【００２４】
複数の被監視者を同時に監視する場合は、被監視者を識別するコードを電波送信する信号に付加してそれを受けた受信部で個人を識別する方法や、被監視者個人ごとに発信する高周波周波数を異なる周波数にして受信部で周波数に拠り個人を識別する方法がある。
【図面の簡単な説明】
【００２５】
【図１】うつ伏せ検出装置の受信部と薄膜容器に取り付けた高周波送信部の構成
【図２】薄膜容器を取り付けた被監視者が  仰向けからやや斜め向きになった状態の薄膜容器
【図３】被監視者がうつ伏せの状態での薄膜容器
【図４】電波の出力とナースコール呼び出し出力のタイムチャート
【図５】うつ伏せ判定部の判定動作のフローチャート
【符号の説明】
【００２６】
1.           
高周波送信部１
2.           
高周波送信部２
3.           
薄膜容器
4.           
導電性液体
5.           
リード端子
6.           
うつ伏せ検出装置受信部
7.           
アンテナ
8.           
高周波受信部
9.           
うつ伏せ判定部
10.    ナースコール出力部
11.    高周波Ｆ１の発信出力
12.    高周波Ｆ２の発信出力
13.    ナースコール呼び出し出力
14.    高周波Ｆ１、Ｆ２が発信されている時間帯
15.    高周波Ｆ２のみが発信されている時間帯
16.    高周波Ｆ１、Ｆ２とも発信されていない時間帯
【図１】
2007195837.tif 000003
【図２】
2007195837.tif 000004
【図３】
2007195837.tif 000005
【図４】
2007195837.tif 000006
【図５】
2007195837.tif 000007